(57)【要約】【課題】軸流型または斜流型のファンを有する換気装置はモータ支持足により略等分された開口部をファンが横切ることにより風切り音が増大するという課題がある。【解決手段】室内１と室外２を連通するように、壁部３または天井（図示せず）に風洞パイプ４を設け、この風洞パイプ４を室内１側から覆う枠体５と、内部にファンモータ６を設けた筒状部７と前記風洞パイプ４内に弾性係合するように設けられる板ばね８とを有した換気装置において、この筒状部７にはファン９を回転駆動するファンモータ６を取り付ける複数のモータ支持足１０が設けられ、このモータ支持足１０により略等分に形成された複数の開口部１１の少なくとも１箇所の形状を他と異なる形状としたことにより、風切り音の増大を防ぐことのできる換気装置を提供できる。【選択図】図１
2008209090.tif 000002
【特許請求の範囲】
【請求項１】
室内と室外を連通するように、壁部または天井に風洞パイプを設け、この風洞パイプを室内側から覆う枠体と、内部にファンモータを設けた筒状部と前記風洞パイプ内に弾性係合するように設けられる板ばねとを有した換気装置において、この筒状部にはファンモータを取り付ける複数のモータ支持足が設けられ、このモータ支持足により略等分に形成された複数の開口部の少なくとも１箇所の形状を他と異なる形状としてなる風路を形成したことを特徴とする換気装置。
【請求項２】
複数の開口部を形成する筒状部の、それぞれの端部の高さを異ならせたことを特徴とする請求項１記載の換気装置。
【請求項３】
モータ支持足を配置する角度を不等間隔とし、それぞれの開口部の幅を異ならせることを特徴とする請求項１記載の換気装置。
【請求項４】
複数の開口部を形成する筒状部のうち、少なくとも１箇所の端部の高さを他と異ならせたことを特徴とする請求項１〜３のいずれかに記載の換気装置。
【請求項５】
複数の開口部を形成する筒状部のうち、１箇所の端部の高さを他に対し開口部を狭くする方向に高くしたことを特徴とする請求項１〜４のいずれかに記載の換気装置。
【請求項６】
複数の開口部を形成する筒状部のうち、少なくとも１箇所の端部の形状を他に対し側面から見て異型としたことを特徴とする請求項１〜５のいずれかに記載の換気装置。
【請求項７】
複数の開口部を形成する筒状部のうち、少なくとも１箇所の端部の風路側表面形状を他と異ならせたことを特徴とする請求項１〜６のいずれかに記載の換気装置。
【請求項８】
筒状部を風洞パイプに対し偏心させて、他と異なる形状とした開口部を最も風洞パイプ内壁に近接する位置に設置したことを特徴とする請求項１〜７のいずれかに記載の換気装置。
【請求項９】
板ばねを、他と異なる形状とした開口部に対し略相対位置に設け、筒状部を風洞パイプに対し偏心させたことを特徴とする請求項１〜８のいずれかに記載の換気装置。
【発明の詳細な説明】
【技術分野】
【０００１】
本発明は、室内と室外を連通するように、壁部または天井に設けられる風洞パイプに嵌挿して設置される換気装置に関する。
【背景技術】
【０００２】
従来、この種の換気扇の一例として筒状部を複数のモータ支持足により略等分した換気装置が知られている（例えば、特許文献１参照）。
【０００３】
以下、その換気装置について図６を参照しながら説明する。
【０００４】
図に示すように、ファンモータ１０１を設けた換気扇本体１０２の室内側に裏面側に凹部１０３を形成したフランジ部１０４を設け、風洞パイプ（図示せず）に嵌挿される筒状部１０５と筒状部１０５に設けられる複数のモータ支持足１０６により開口部１０７が風路を形成して構成している。
【特許文献１】特許第３４３００３２号公報（図１）
【発明の開示】
【発明が解決しようとする課題】
【０００５】
このような従来の換気装置では、軸流型または斜流型のファンを有する換気装置はモータ支持足により略等分された開口部をファンが横切ることにより複数の風切り音が干渉して全体の送風騒音が増大するという課題がある。
【０００６】
本発明は、このような従来の課題を解決するものであり、風切り音の増大を防ぐことのできる換気装置を提供することを目的とする。
【課題を解決するための手段】
【０００７】
本発明の換気装置は、上記目的を達成するために、室内と室外を連通するように、壁部または天井に風洞パイプを設け、この風洞パイプを室内側から覆う枠体と、内部にファンモータを設けた筒状部と前記風洞パイプ内に弾性係合するように設けられる板ばねとを有した換気装置において、この筒状部にはファンを回転駆動するファンモータを取り付ける複数のモータ支持足が設けられ、このモータ支持足により略等分に形成された複数の開口部の少なくとも１箇所の形状を他と異なる形状としてなる風路を形成したものである。
【０００８】
また、他の手段は、複数の開口部を形成する筒状部の、それぞれの端部の高さを異ならせたものである。
【０００９】
また、他の手段は、モータ支持足を配置する角度を不等間隔とし、それぞれの開口部の幅を異ならせるものである。
【００１０】
また、他の手段は、複数の開口部を形成する筒状部のうち、少なくとも１箇所の端部の高さを他と異ならせたものである。
【００１１】
また、他の手段は、複数の開口部を形成する筒状部のうち、１箇所の端部の高さを他に対し開口部を狭くする方向に高くしたものである。
【００１２】
また、他の手段は、複数の開口部を形成する筒状部のうち、少なくとも１箇所の端部の形状を他に対し側面から見て異型としたものである。
【００１３】
また、他の手段は、複数の開口部を形成する筒状部のうち、少なくとも１箇所の端部の風路側表面形状を他と異ならせたものである。
【００１４】
また、他の手段は、筒状部を風洞パイプに対し偏心させて、他と異なる形状とした開口部を最も風洞パイプ内壁に近接する位置に設置したものである。
【００１５】
また、他の手段は、板ばねを、他と異なる形状とした開口部に対し略相対位置に設け、筒状部を風洞パイプに対し偏心させたものである。
【発明の効果】
【００１６】
本発明によれば、室内と室外を連通するように、壁部または天井に風洞パイプを設け、この風洞パイプを室内側から覆う枠体と、内部にファンモータを設けた筒状部と前記風洞パイプ内に弾性係合するように設けられる板ばねとを有した換気装置において、この筒状部にはファンを回転駆動するファンモータを取り付ける複数のモータ支持足が設けられ、このモータ支持足により略等分に形成された複数の開口部の少なくとも１箇所の形状を他と異なる形状としてなる風路を形成したことにより、風切り音の干渉を低減することができ、全体的に送風騒音を下げることができるという効果のある換気装置を提供することができる。
【００１７】
また、複数の開口部を形成する筒状部の、それぞれの端部の高さを異ならせたことにより、それぞれの開口部で発生する風切り音の周波数がずれることから干渉を低減することができ、全体的に送風騒音を下げることができるという効果のある換気装置を提供することができる。
【００１８】
また、モータ支持足を配置する角度を不等間隔とし、それぞれの開口部の幅を異ならせることにより、それぞれの開口部で発生する風切り音の周波数がずれることから干渉をより低減することができ、全体的に送風騒音をより大きく下げることができるという効果のある換気装置を提供することができる。
【００１９】
また、複数の開口部を形成する筒状部のうち、少なくとも１箇所の端部の高さを他と異ならせたことにより、風切り音の干渉を低減することができ、全体的に送風騒音を下げることができるという効果のある換気装置を提供することができる。
【００２０】
また、複数の開口部を形成する筒状部のうち、１箇所の端部の高さを他に対し開口部を狭くする方向に高くしたことにより、風洞パイプにフレキシブルダクトを用いたときにもフレキシブルダクトの変形による羽根当たりが起こり難いという効果があり、さらに風切り音の干渉を低減することができ、全体的に送風騒音を下げることができるという効果のある換気装置を提供することができる。
【００２１】
また、複数の開口部を形成する筒状部のうち、少なくとも１箇所の端部の形状を他に対し側面から見て異型としたことにより、異型とした部分で発生する風切り音の周波数を他に比べて大きくずらし、風切り音の干渉を低減することができ、全体的に送風騒音を下げることができるという効果のある換気装置を提供することができる。
【００２２】
また、複数の開口部を形成する筒状部のうち、少なくとも１箇所の端部の風路側表面形状を他と異ならせたことにより、風切り音の干渉を低減することができ、全体的に送風騒音を下げることができるという効果のある換気装置を提供することができる。
【００２３】
また、筒状部を風洞パイプに対し偏心させて、他と異なる形状とした開口部を最も風洞パイプ内壁に近接する位置に設置したことにより、送風性能を大きく変えることなく、送風騒音を下げることができるという効果のある換気装置を提供することができる。
【００２４】
また、板ばねを、他と異なる形状とした開口部に対し略相対位置に設け、筒状部を風洞パイプに対し偏心させたことにより、施工者が意識することなく送風性能のばらつきを少なくすることができるという効果のある換気装置を提供することができる。
【発明を実施するための最良の形態】
【００２５】
本発明の請求項１記載の換気装置は、室内と室外を連通するように、壁部または天井に風洞パイプを設け、この風洞パイプを室内側から覆う枠体と、内部にファンモータを設けた筒状部と前記風洞パイプ内に弾性係合するように設けられる板ばねとを有した換気装置において、この筒状部にはファンを回転駆動するファンモータを取り付ける複数のモータ支持足が設けられ、このモータ支持足により略等分に形成された複数の開口部の少なくとも１箇所の形状を他と異なる形状としてなる風路を形成したものであり、開口部をファンが横切ることにより発生する風切り音の周波数を他に対しずらすことができるという作用を有する。
【００２６】
また、複数の開口部を形成する筒状部の、それぞれの端部の高さを異ならせたことにより、複数の開口部を形成する筒状部の、それぞれの端部の高さを異ならせたことにより、それぞれの開口部で発生する風切り音の周波数がずれることから干渉を低減することができるという作用を有する。
【００２７】
また、モータ支持足を配置する角度を不等間隔とし、それぞれの開口部の幅を異ならせたものであり、モータ支持足を配置する角度を不等間隔とし、それぞれの開口部の幅を異ならせることにより、それぞれの開口部で発生する風切り音の周波数がずれることから干渉をより低減することができるという作用を有する。
【００２８】
また、複数の開口部を形成する筒状部のうち、少なくとも１箇所の端部の高さを他と異ならせたとしたものであり、開口部をファンが横切ることにより発生する風切り音の周波数を他に対しずらすことができるという作用を有する。
【００２９】
また、複数の開口部を形成する筒状部のうち、１箇所の端部の高さを他に対し開口部を狭くする方向に高くしたとしたものであり、風洞パイプにフレキシブルダクトを用いたときにもフレキシブルダクトの変形による羽根当たりが起こり難く、開口部をファンが横切ることにより発生する風切り音の周波数を他に対しずらすことができるという作用を有する。
【００３０】
また、複数の開口部を形成する筒状部のうち、少なくとも１箇所の端部の形状を他に対し側面から見て異型としたものであり、異型とした部分の開口部をファンが横切ることにより発生する風切り音の周波数を形状の違いによって他に対し大きくずらすことができるという作用を有する。
【００３１】
また、複数の開口部を形成する筒状部のうち、少なくとも１箇所の端部の風路側表面形状を他と異ならせたものであり、開口部をファンが横切ることにより発生する風切り音の周波数を他に対しずらすことができるという作用を有する。
【００３２】
また、筒状部を風洞パイプに対し偏心させて、他と異なる形状とした開口部を最も風洞パイプ内壁に近接する位置に設置したとしたものであり、他と異なる形状とした開口部による風量、静圧などの送風性能への影響を風洞パイプ内壁に近づけることにより小さくすることができるという作用を有する。
【００３３】
また、板ばねを、他と異なる形状とした開口部に対し略相対位置に設け、筒状部を風洞パイプに対し偏心させたとしたものであり、一意的に筒状部を風洞パイプに対して偏心させる方向を定めることができるという作用を有する。
【００３４】
以下、本発明の実施の形態について、図面を参照しながら説明する。
【００３５】
（実施の形態１）
図１から図３に示すように、室内１と室外２を連通するように、壁部３または天井（図示せず）に風洞パイプ４を設け、この風洞パイプ４を室内側から覆う枠体５と、内部にファンモータ６を設けた筒状部７と前記風洞パイプ４内に弾性係合するように設けられる板ばね８とを有した換気装置において、この筒状部７にはファン９を回転駆動するファンモータ６を取り付ける複数のモータ支持足１０が設けられ、このモータ支持足１０により略等分に形成された複数の開口部１１の１箇所の端部１２の高さを他に対し開口部１１を狭くする方向に高くし、板ばね８を、他と異なる形状とした開口部１１に対し略相対位置に設け、筒状部７を風洞パイプ４に対し偏心させたものを構成する。
【００３６】
このように本発明の実施の形態１の換気装置によれば、板ばね８を、他と異なる形状とした開口部１１に対し略相対位置に設け、筒状部７を風洞パイプ４に対し偏心させたので施工者が意識することなく他と異なる形状とした開口部１１を一意的に風洞パイプ４内壁に偏心させ近づけることができ、開口部１１を他と異なる形状としたことによる風量、静圧などへの影響を小さくし送風性能のばらつきを少なくすることができる。またモータ支持足１０により略等分に形成された複数の開口部１１の１箇所の端部１２の高さを他に対し開口部１１を狭くする方向に高くしたので風洞パイプ４にフレキシブルダクトを用いたときにもフレキシブルダクトの変形による羽根当たりが起こり難く、開口部１１をファン９が横切ることにより発生する風切り音の周波数を他に対しずらして干渉を低減することができ、全体的に送風騒音を下げることができることとなる。
【００３７】
本実施例では１箇所の開口部１１の端部１２の高さを他に対し異ならせて形成したが、複数の開口部１１の高さをそれぞれ異ならせるとそれぞれの開口部で発生する風切り音の周波数がずれることから干渉をより低減することができ、モータ支持足１０を配置する角度を不等間隔にしそれぞれの開口部１１の幅を異ならせる構成を併用することによりさらに大きな効果が得られることはいうまでも無い。
【００３８】
（実施の形態２）
図４に示すように、複数の開口部１１を形成する筒状部７のうち、１箇所の端部１２Ａの形状を他に対し側面から見て異型としたものを構成する。
【００３９】
上記構成により、開口部１１をファン９が横切ることにより発生する風切り音の周波数を形状の違いによって他に対し大きくずらして風切り音の干渉を低減することができ、全体的に送風騒音を下げることができることとなる。
【００４０】
本実施例では１箇所の開口部１１の端部１２Ａの形状を他に対し異ならせて形成したが、複数の開口部１１の形状をそれぞれ異ならせても同様の効果を得ることができる。
【００４１】
（実施の形態３）
図５に示すように、複数の開口部１１を形成する筒状部７のうち、１箇所の端部１２Ｂの風路側表面形状を他と異ならせ、複数の凹部１３を形成したものを構成する。
【００４２】
上記構成により、開口部１１をファン９が横切ることにより発生する風切り音の周波数を他に対しずらして干渉を低減することができ、全体的に送風騒音を下げることができることとなる。
【００４３】
本実施例では１箇所の開口部１１の端部１２の風路側表面形状を凹部１３により形成したが、細孔を開けるなど他の形状を用いてもよく、複数の開口部の風路側表面形状をそれぞれ異ならせても同様の効果を得ることができる。
【産業上の利用可能性】
【００４４】
本発明の筒状部の形状は開口部の形状を異ならせることにより風切り音の干渉を防ぐ構造によって空調機、送風機の送風騒音を下げる用途にも適用できる。
【図面の簡単な説明】
【００４５】
【図１】本発明の実施の形態１の換気装置の壁部に設置した状態を示す断面図
【図２】同換気装置の背面を示す斜視図
【図３】同換気装置の風洞ダクトへの装着状態を示す背面図
【図４】本発明の実施の形態２の換気装置の背面を示す斜視図
【図５】本発明の実施の形態３の換気装置の風洞ダクトへの装着状態を示す背面図
【図６】従来の換気装置の背面を示す斜視図
【符号の説明】
【００４６】
１      室内
２      室外
３      壁部
４      風洞パイプ
５      枠体
６      ファンモータ
７      筒状部
８      板ばね
９      ファン
１０    モータ支持足
１１    開口部
１２    端部
１２Ａ  端部
１２Ｂ  端部
１３    凹部
【図１】
2008209090.tif 000003
【図２】
2008209090.tif 000004
【図３】
2008209090.tif 000005
【図４】
2008209090.tif 000006
【図５】
2008209090.tif 000007
【図６】
2008209090.tif 000008